(57)【要約】      （修正有）【課題】イオン発生器から発生したイオンで、板金自体を帯電させることがなく、接地を怠ったとしても、箱体本体に手を触れて電撃を受けることがない安全性の高いシュレッダーを提供する。【解決手段】イオンを照射して細断で帯電した細断屑を中和除電する構成のシュレッダーにおいて、細断屑等の落下通過路中に細断屑等の静電気を除去するイオン発生器９を設置する細断機構部固定用板金８の表裏面に電気絶縁処理を施して、イオンによる帯電を防止した。【選択図】図４
2014171980.tif 000002
【特許請求の範囲】
【請求項１】
廃紙を細断する細断手段と、
前記細断手段への廃紙の送給手段と、
細断手段で細断された細断屑等が落下して収容される細断屑収納部と
前記細断手段と送給手段と細断屑収納部を設置する金属筐体と、を備えたシュレッダーにおいて、
前記細断手段からの細断屑等の落下通過路中に細断屑等の静電気を除去するイオン発生器を設置するとともに、前記イオン発生器を設置する部材を電気絶縁処理したことを特徴とするシュレッダー。
【請求項２】
前記イオン発生器を設置する部材は、
絶縁性塗料をプレコート又は塗布して電気絶縁処理した板金であることを特徴とする請求項１に記載のシュレッダー。
【請求項３】
前記イオン発生器を設置する部材は、前記電気絶縁処理を前記イオン発生器周辺に施した板金であることを特徴とする請求項１又は請求項２に記載のシュレッダー。
【請求項４】
前記電気絶縁処理を施す範囲は、前記イオン発生器のイオン吹出口方向の周辺を覆う領域であることを特徴とする請求項１〜３のいずれかに記載のシュレッダー。
【請求項５】
前記電気絶縁処理を施す範囲は、前記イオン発生器のイオン吹出口を中心として球半径３０ｍｍを最小範囲としたことを特徴とする請求項１〜４のいずれかに記載のシュレッダー。
【発明の詳細な説明】
【技術分野】
【０００１】
本発明は、不要になった用紙、プラスチックフィルム等を細断するシュレッダーの細断時に生じる細断屑の静電気を効率的に除電する機能が付いたシュレッダーに関する。
【背景技術】
【０００２】
従来より、廃紙や不要になったプラスチックフィルム等を細断するシュレッダーでは、細断部のカッターによる細断時に生じる摩擦や変形による帯電で、細断屑に静電気が発生し、落下中にシュレッダー内部周辺に付着したり、細断屑収納袋や細断屑箱に付着したりして、回収、破棄作業に手間がかかったり不都合を生じることが多い。このような細断屑の静電気の弊害を除去するために、細断屑の静電気を効率的に除去する機能が付いたシュレッダーが提案されている。
【先行技術文献】
【特許文献】
【０００３】
【特許文献１】特許第４８１１６９６号公報
【０００４】
特許文献１に記載のシュレッダーは、箱体本体の上部位置に細断部を設け、当該箱体本体内の細断部の下方位置に細断屑収容箱を配設し、細断部で細断された細断屑が落下して細断屑収容箱に収納されるようにしてなるシュレッダーにおいて、細断部と細断屑収容箱との中間位置にイオン発生装置と空気吹出し器とからなる除電器を設け、イオンを空気吹出し器から吹出した空気とともに、落下する帯電細断屑の落下通過域に向けて照射して、細断屑を中和除電するようにしている。
【発明の概要】
【発明が解決しようとする課題】
【０００５】
箱体本体が薄板状金属板で成形されるとともに、前記帯電細断屑を中和除電するイオンを発生するイオン発生器は、細断機構部を固定するために剛性の高い金属板を用いて形成された細断機構部固定用板金に設置されており、前記細断機構部固定用板金は前記箱体本体内部に取付けられてシュレッダーを構成している。また、箱体本体は電気的アース面として利用している。
【０００６】
上記構成のシュレッダーにおいて、接地して帯電した電荷を逃がすことが行われていれば問題ないが、接地を怠った場合、イオン発生器から発生するイオンによって、イオン発生器を設置している前記細断機構部固定用板金自体が帯電し、一体で取付け構成されている箱体本体も帯電してしまう。場合によっては、帯電量が一般的に電撃を感じると言われている２ｋＶ以上に達し、その状態のときにシュレッダーの箱体本体に手を触れると、電撃を受けるなど安全性の問題があった。
【０００７】
本発明は、このような点に鑑みなされたもので、イオン発生器から発生するイオンによってイオン発生器を設置している板金を帯電させない構成として箱体本体に手を触れても電撃が生じない安全なシュレッダーを提供することを目的とする。
【課題を解決するための手段】
【０００８】
請求項１に記載の発明にあたっては、廃紙を細断する細断手段と、前記細断手段への廃紙の送給手段と、細断手段で細断された細断屑等が落下して収容される細断屑収納部と、前記細断手段と送給手段と細断屑収納部を設置する金属筐体とを備えたシュレッダーにおいて、前記細断手段からの細断屑等の落下通過路中に細断屑等の静電気を除去するイオン発生器を設置するとともに、前記イオン発生器を設置する部材を電気絶縁処理したことを特徴とするものである。
【０００９】
請求項２に記載の発明にあたっては、前記イオン発生器を設置する部材は、絶縁性塗料をプレコート又は塗布して電気絶縁処理した板金であることを特徴とするものである。
【００１０】
請求項３に記載の発明にあたっては、前記イオン発生器を設置する部材は、前記電気絶縁処理を前記イオン発生器周辺に施した板金であることを特徴とするものである。
【００１１】
請求項４に記載の発明にあたっては、前記電気絶縁処理を施す範囲は、前記イオン発生器のイオン吹出口方向の周辺を覆う領域であることを特徴とするものである。
【００１２】
請求項５に記載の発明にあたっては、前記電気絶縁処理を施す範囲は、前記イオン発生器のイオン吹出口を中心として球半径３０ｍｍを最小範囲としたことを特徴とするものである。
【発明の効果】
【００１３】
本発明によれば、細断屑等の落下通過路中に細断屑等の静電気を除去するイオン発生器９を設置する細断機構部固定用板金８の表裏面に電気絶縁処理を施しイオンによる帯電を防止したので、接地を怠ったとしても、箱体本体に手を触れて電撃を受けることがない安全性の高いシュレッダーを提供することができる。
【図面の簡単な説明】
【００１４】
【図１】本実施形態のシュレッダーの斜視図
【図２】図１のシュレッダーのカバーが開かれた状態を示す斜視図
【図３】図１のシュレッダーの鉛直断面図
【図４】イオン発生器の設置状態を説明するためのシュレッダー内部の斜視図
【図５】細断機構部の設置状態を説明するためのシュレッダー内部の斜視図
【図６】イオン発生器及び細断機構部を設置する細断機構部固定用板金の斜視図
【発明を実施するための形態】
【００１５】
以下に本発明の好適な実施の形態について、図面を参照しながら説明する。なお本実施の形態は一例であり、これに限定されるものではない。
【００１６】
図１〜図３に示すように、このシュレッダー１は、板金で成形された直方体状の筐体２（箱体本体）と、その筐体２の上部に設けられた廃紙を配置する直方体の廃紙収納スペース４と、この廃紙収納スペース４を覆うように、カバー３が開閉可能に設けられている。このカバー３には廃紙の外部挿入口３１が設けられている。また、廃紙収納スペース４の底部には、廃紙を下方へ案内するオートフィード機構５が構成され、オートフィード機構５のさらに下方には、廃紙を細断する細断機構部６が設けられている。細断機構部６の下方には細断した屑を収納する細断屑収納ボックス７が配置されている。
【００１７】
図２、図３に示すように、オートフィード機構５は、廃紙収納スペース４の底部の中央付近に廃紙の長手方向と直交する方向に廃紙が進入するスリット状の挿入口５１が設けられている。前記スリット状の挿入口５１を挟んで対称位置にスリットの方向と平行な軸線をもつ案内ローラー６２が、対をなして２列ずつ、回転支軸となるシャフト６７の軸方向に所定の間隔をおいて直列連結して配置されている。
【００１８】
図３に示すように、細断機構部６は、案内ローラー６２の中心軸線に平行な軸線を持って配置された一対のシュレッダーカッター６１を装備している。上述した挿入口５１の直下には、両シュレッダーカッター６１間の隙間が位置している。モータ６４及び歯車装置６５（図５）によってシュレッダーカッター６１が回転駆動されるが、挿入口５１を挟んで同じ側にある案内ローラー６２とシュレッダーカッター６１は伝動歯車によって同期駆動されていて同じ方向に回転する。挿入口５１を通過した廃紙は案内ローラー６２によってシュレッダーカッター６１間の隙間に案内され細断される。尚、シュレッダーカッター６１は、安全のために薄板板金を折り曲げ成形したカバー６３で覆われている。
【００１９】
上述のように構成されたシュレッダー１の動作について説明する。廃紙が少量の場合には、カバー３に形成した外部挿入口３１から廃紙を挿入する。挿入された廃紙は前記挿入ガイド部３６を通り、案内ローラー６２間を経て挿入口５１に案内され細断機構部６で細断される。（図３）
【００２０】
次に多量の廃紙を細断する場合について説明する。図２、図３に示すように廃紙を廃紙収納スペース４に配置し、カバー３を閉塞する。このとき、廃紙収納スペース４のほぼ中央付近の廃紙の下面が、案内ローラー６２によりやや盛り上がった状態となり、廃紙の束の上面は、紙押えパッド３３により押圧されるとともに、廃紙の中央部が押圧ローラー３２よりも内側に位置する圧紙部３７によって押圧される。これによって廃紙が挿入口５１側へ円弧状に膨らみ挿入口５１に進入しやすくなる。
【００２１】
この状態でモータを駆動すると、最下層の廃紙が案内ローラー６２によって挿入口５１に引き込まれ、二つ折り状態になって挿入口５１の下方にあるシュレッダーカッター６１に侵入し細断される。この引き込み動作が連続して行われ、最下層の廃紙から順に二つ折り状態になってシュレッダーカッター６１に導かれ細断されていく。
【００２２】
細断が進み、束になった廃紙の高さが小さくなっていくと、カバー３のコイルバネ３５によって圧紙部３７及び押圧ローラー３２と紙押えパッド３３が下方に付勢されるため、廃紙の上面を常時押圧することになる。細断された紙屑は、その下方にある細断屑収納ボックス７に収納される。
【００２３】
次に当該発明に関するイオン発生器９から発生したイオンを細断で帯電した細断屑に照射して中和除電する構成について説明する。図５に示すように、前記細断機構部６は、薄板板金で成形され前記筐体２の上方内面に例えば溶接によって接合された細断機構部固定用板金８に設置固定される。図６に示すように、前記細断機構部固定用板金８の設置面８４には矩形状をした細断屑落下口８１が穿設され細断屑落下口８１の周縁は設置面から鉛直上方向に立上がり片８２を形成している。この立上がり片８２は、細断機構部６の取り付けガイドとなるとともに設置面８４の剛性を高めている。また設置面８４の外縁には、前述の筐体２の内面２１（図４）との溶接のために前記立上がり片８２とは反対方向に折り曲げ成形した溶接片８５を形成している。
【００２４】
前記立上がり片８２の一片８２ａには切り欠き８３が形成され、図４に示すようにイオン発生器９は、前記切り欠き８３からイオンの吹出口を臨ませるように細断機構部固定用板金８の設置面８４に設置固定され、図３に示すように、前記シュレッダーカッター６１から落下してくる細断屑にイオンを照射して細断で帯電した細断屑を中和除電する。
【００２５】
当該実施の形態では、イオン発生器９のイオン発生方式が、パルス直流高電圧を印加してコロナ放電させプラスイオンを発生するＤＣイオナイザーを用いている。距離依存性が少なくエアやファンを使用しない無風動作によって広いエリアへ照射できるので、異物吹き付けやホコリ巻上げなどを生じさせないで除電ができる特徴がある。
【００２６】
また、前記細断機構部固定用板金８には電気絶縁性を有する塗料を表裏面にプレコートした塗装鋼板を使用している。図４に示すように、イオン発生器９で発生させたプラスイオンの一部がイオン発生器９設置近傍の立上がり片８２ａに吸着し、細断機構部固定用板金８を帯電させ、この細断機構部固定用板金８と接合されている筐体２も帯電させてしまうという問題があった。そのため、電気絶縁性塗料をプレコートして絶縁処理を施した塗装鋼板を用いて、前記細断機構部固定用板金８の帯電を防止している。
【００２７】
当該実施の形態では、細断機構部固定用板金８には電気絶縁性を有する塗料をプレコートした塗装鋼板を使用しているので細断機構部固定用板金８の表裏面全域が絶縁処理されている。しかし、それに限らず樹脂材料等の電気絶縁体でイオン発生器９のイオン吹出口９１方向の周辺を覆う構成としても良いし、同様に絶縁性テープを貼り付ける構成でも構わない。また、電気絶縁性を有する塗料を塗布し乾燥させる構成でも良い。ここで言うイオン発生器９の周辺とは、実験の結果からイオン発生器９のイオン吹出口９１を中心とした球半径（ｓｒ）３０ｍｍの範囲（図６）であり、この範囲を最小範囲として板金の表裏面に電気絶縁性の処理を施せば帯電防止の効果が得られることが分かっている。
【符号の説明】
【００２８】
１              シュレッダー
２              筐体
３              カバー
４              廃紙収納スペース
５              オートフィード機構
６              細断機構部
７              裁断屑収納ボックス
８              細断機構部固定用板金
９              イオン発生器
【図１】
2014171980.tif 000003
【図２】
2014171980.tif 000004
【図３】
2014171980.tif 000005
【図４】
2014171980.tif 000006
【図５】
2014171980.tif 000007
【図６】
2014171980.tif 000008